(57)【要約】【課題】パッド部の境界領域に位置する配線の損傷を防止できるようにした有機電界発光表示装置を提供する。【解決手段】画素部と、前記画素部に電気的に連結されるパッド部を備える有機電界発光表示パネルを含み、前記画素部から前記パッド部に延びて前記画素部と前記パッド部を電気的に連結する連結配線と、前記パッド部の境界領域に位置する前記連結配線の一領域の上部に位置し、前記連結配線が延びる方向と交差する方向に形成された絶縁膜と、前記パッド部の境界領域で前記絶縁膜の一領域と重なるように前記絶縁膜上に形成され、前記パッド部の全面を覆うように形成された異方性導電フィルム（ＡＣＦ）とを含む。【選択図】図１
2009200025.tif 000002
【特許請求の範囲】
【請求項１】
画素部と、前記画素部に電気的に連結されるパッド部を備える有機電界発光表示パネルを含み、
前記画素部から前記パッド部に延びて前記画素部と前記パッド部を電気的に連結する連結配線と、
前記パッド部の境界領域に位置する前記連結配線の一領域の上部に位置し、前記連結配線が延びる方向と交差する方向に形成された絶縁膜と、
前記パッド部の境界領域で前記絶縁膜の一領域と重なるように前記絶縁膜上に形成され、前記パッド部の全面を覆うように形成された異方性導電フィルム（ＡＣＦ）と
を含む有機電界発光表示装置。
【請求項２】
前記絶縁膜は、前記パッド部の境界領域に位置する前記異方性導電フィルムの終端から前記画素部方向に少なくとも１５０μｍの幅を有するように形成されたことを特徴とする請求項１に記載の有機電界発光表示装置。
【請求項３】
前記絶縁膜は、前記パッド部の境界領域に位置する前記異方性導電フィルムの終端から前記画素部と反対となる前記有機電界発光表示パネルの一側の縁方向に少なくとも１５０μｍの幅を有するように形成されたことを特徴とする請求項１に記載の有機電界発光表示装置。
【請求項４】
前記絶縁膜は、前記パッド部の境界領域に位置する前記異方性導電フィルムの終端を基準に少なくとも±１５０μｍの領域に形成されたことを特徴とする請求項１に記載の有機電界発光表示装置。
【請求項５】
前記パッド部は、前記連結配線から延びた多数のパッド電極を含むことを特徴とする請求項１に記載の有機電界発光表示装置。
【請求項６】
前記絶縁膜は無機絶縁膜であることを特徴とする請求項１に記載の有機電界発光表示装置。
【請求項７】
前記異方性導電フィルムにより前記有機電界発光表示パネルに電気的に連結される軟性印刷回路基板（ＦＰＣＢ）を更に含むことを特徴とする請求項１に記載の有機電界発光表示装置。
【請求項８】
パッド部を除いた残りの領域に形成された連結配線の一領域上に別途の絶縁性保護膜が更に形成されることを特徴とする請求項１に記載の有機電界発光表示装置。
【発明の詳細な説明】
【技術分野】
【０００１】
本発明は有機電界発光表示装置に関し、特に、パッド部の境界領域に位置する配線の損傷を防止できるようにした有機電界発光表示装置に関する。
【背景技術】
【０００２】
近年、陰極線管に比べて重さが軽くて体積が小さな各種の平板表示装置（Ｆｌａｔ Ｐａｎｅｌ Ｄｉｓｐｌａｙ Ｄｅｖｉｃｅ）が開発されている。このうち、有機電界発光表示装置（Ｏｒｇａｎｉｃ Ｌｉｇｈｔ Ｅｍｉｔｔｉｎｇ Ｄｉｓｐｌａｙ Ｄｅｖｉｃｅ）は有機化合物を発光材料として用いるもので、輝度及び色純度に優れることから、特に注目されている。
【０００３】
一般に、有機電界発光表示装置は、走査線及びデータ線の交差部に位置する多数の画素を含む画素部と、画素部を駆動するための駆動回路とを含む。
画素のそれぞれは、アノード電極及びカソード電極とこれらの間に形成された有機発光層を含む有機発光ダイオードを含む。
【０００４】
但し、有機発光層は水分及び酸素により劣化し易い特性を有するので、通常有機電界発光表示装置の画素部はエンキャップ部材により封止される。即ち、画素部が形成される有機電界発光表示装置の表示パネルは、画素が形成される基板と、封止部材により基板に接着されて画素領域を封止するエンキャップ部材とで構成される。
駆動回路は、外部から供給される電源及び制御信号に対応して画素部を駆動するための駆動信号を生成し、これを画素部に供給する。例えば、駆動回路は画素を選択する走査信号と、画素の発光輝度を決定するデータ信号を生成し、生成された走査信号及びデータ信号を画素に供給できる。
【０００５】
このために、駆動回路と画素部との間には信号を伝達するための配線、例えば、走査線及び／又はデータ線が形成される。
但し、駆動回路は、一般にエンキャップ部材による封止領域の外部に位置する。例えば、駆動回路はパッド部を介して表示パネルと電気的に連結される軟性印刷回路基板（Ｆｌｅｘｉｂｌｅ Ｐｒｉｎｔｅｄ Ｃｉｒｃｕｉｔ Ｂｏａｒｄ、ＦＰＣＢ）などに実装され得る。或いは、駆動回路は集積回路チップの形態で表示パネルの非封止領域に実装され得る。
【０００６】
従って、走査線及び／又はデータ線などの信号線は封止領域の内部から非封止領域に引き出されるように形成される。特に、駆動回路がＦＰＣＢに実装される場合、信号線はパッド部を介してＦＰＣＢと電気的に連結される。
また、画素部に第１及び第２画素電源ＥＬＶＤＤ、ＥＬＶＳＳなどを伝達するための電源線も表示パネルの外部に形成された電源供給部と、パッド部を介して電気的に連結される。
【０００７】
このために、画素部が形成された封止領域から引き出された信号線及び／又は電源線の一側はパッド部領域まで延びてパッド電極を形成する。そして、パッド電極の上部には異方性導電フィルム（Ａｎｉｓｏｔｒｏｐｉｃ Ｃｏｎｄｕｃｔｉｖｅ Ｆｉｌｍ、ＡＣＦ）のような導電性フィルムが形成される。このようなＡＣＦの上部にはＦＰＣＢのパッド部が整列される。そして、圧着工程により表示パネルのパッド電極とＦＰＣＢのパッド部が電気的に連結されてＦＰＣＢと表示パネルが電気的に連結される。
【０００８】
しかしながら、圧着工程中にＡＣＦが破れ、その一部が流れ出てパッド部の境界領域に位置する配線を腐食させて損傷させるおそれがある。これにより、配線が腐食して隣接する配線同士がショートされるショート欠陥が発生したり、或いは一部の配線で断線欠陥が発生したりし得る。
【特許文献１】大韓民国特許公開第２００７−００７１０８３号
【特許文献２】大韓民国特許公開第２００７−００３１５５２号
【特許文献３】大韓民国特許公開第２００７−０００７４３１号
【発明の開示】
【発明が解決しようとする課題】
【０００９】
そこで、本発明は上記事情に鑑みてなされたものであって、その目的は、パッド部の境界領域に位置する配線の損傷を防止できるようにした有機電界発光表示装置を提供することにある。
【課題を解決するための手段】
【００１０】
前記目的を達成するために、本発明は、画素部と、前記画素部に電気的に連結されるパッド部を備える有機電界発光表示パネルを含み、前記画素部から前記パッド部に延びて前記画素部と前記パッド部を電気的に連結する連結配線と、前記パッド部の境界領域に位置する前記連結配線の一領域の上部に位置し、前記連結配線が延びる方向と交差する方向に形成された絶縁膜と、前記パッド部の境界領域で前記絶縁膜の一領域と重なるように前記絶縁膜上に形成され、前記パッド部の全面を覆うように形成された異方性導電フィルム（ＡＣＦ）とを含む有機電界発光表示装置を提供する。
【００１１】
ここで、前記絶縁膜は、前記パッド部の境界領域に位置する前記異方性導電フィルムの終端から前記画素部方向に少なくとも１５０μｍの幅を有するように形成され得る。また、前記絶縁膜は、前記パッド部の境界領域に位置する前記異方性導電フィルムの終端から前記画素部と反対となる前記有機電界発光表示パネルの一側の縁方向に少なくとも１５０μｍの幅を有するように形成され得る。更に、前記絶縁膜は、前記パッド部の境界領域に位置する前記異方性導電フィルムの終端を基準に少なくとも±１５０μｍの領域に形成され得る。
【００１２】
また、前記パッド部は前記連結配線から延びた多数のパッド電極を含むことができる。
更に、前記絶縁膜は無機絶縁膜で形成され得る。
また、前記絶縁膜と重なる前記パッド部の境界領域は、前記パッド部の縁領域のうち前記パッド部と前記画素部との間の縁領域に設定され得る。
更に、前記異方性導電フィルムにより前記有機電界発光表示パネルに電気的に連結される軟性印刷回路基板（ＦＰＣＢ）を更に含むことができる。
【発明の効果】
【００１３】
以上のように本発明によれば、パッド部の境界領域に位置する配線の損傷を防止できるようにした有機電界発光表示装置を提供できるという効果を奏する。
【発明を実施するための最良の形態】
【００１４】
下記の詳細な説明は、本発明の特定の実施形態だけを詳細に記載し示す。本発明の技術分野において通常の知識を有する者は、本発明の技術的思想から逸脱しない範囲内で下記の実施形態を多様に変形できる。従って、添付する図面と説明は、本発明を説明するだけであって、これに限定されない。また、１つの構成要素が他の構成要素と「接触している（ｏｎ）」ということは、それがその他の構成要素と直接接触するか、１つ以上の要素を２つの間に介在させて間接的に接触していることを意味する。また、ある要素が他の要素に「結合されている」ということは、それがその他の要素に直接的に連結されているか、１つ以上の要素を２つの間に介在させて間接的に連結されていることを意味する。以下では、同じ参照番号は同じ構成要素を意味する。
【００１５】
以下、添付する図面を参照しつつ、本発明の実施形態をより詳細に説明する。
図１は、本発明の実施形態に係る有機電界発光表示装置の表示パネルを示す斜視図である。そして、図２は、図１に示した表示パネルのＩ−Ｉ’線に沿った断面図である。
図１〜図２を参照すれば、本発明の有機電界発光表示装置は、「画素部と、前記画素部に電気的に連結されるパッド部を備える有機電界発光表示パネルを含み、
前記画素部から前記パッド部に延びて前記画素部と前記パッド部を電気的に連結する連結配線と、
前記パッド部の境界領域に位置する前記連結配線の一領域の上部に位置し、前記連結配線が延びる方向と交差する方向に形成された絶縁膜と、
前記パッド部の境界領域で前記絶縁膜の一領域と重なるように前記絶縁膜上に形成され、前記パッド部の全面を覆うように形成された異方性導電フィルム（ＡＣＦ）」を含む。
ここで、絶縁膜が形成されるパッド部の境界領域は、パッド部の縁領域のうち、パッド部と画素部との間に位置するパッド部の縁領域を意味することを含む。
【００１６】
画素部１１２は、少なくとも有機発光ダイオードを含む多数の画素（図示せず）を備える。このような画素部１１２は、封止部材１１４により基板１１０に接着されるエンキャップ部材１２０により封止される。ここで、エンキャップ部材１２０は、ガラス基板又はメタルキャップなどで形成され得る。
パッド部１１８は、外部から供給される電源及び／又は駆動信号を伝達するための多数のパッド電極ＰＥを含む。このようなパッド部１１８は連結配線１１６により画素部１１２に電気的に連結される。
【００１７】
連結配線１１６は、画素部１１２からパッド部１１８まで延びて画素部１１２とパッド部１１８を電気的に連結する。このような連結配線１１６は、パッド部１１８に供給された電源及び／又は駆動信号を画素部１１２に伝達するための電源線及び／又は信号線に設定され得る。
例えば、連結配線１１６は、第１及び第２画素電源ＥＬＶＤＤ、ＥＬＶＳＳを伝達するための電源線、走査信号を伝達するための走査線及び／又はデータ信号を伝達するためのデータ線を含んで構成され得る。
【００１８】
このような連結配線１１６の一側はパッド部１１８に延びてパッド電極ＰＥを形成できる。又は、連結配線１１６はパッド電極ＰＥと別途に形成され、コンタクトホールなどによりパッド電極ＰＥと連結してもよい。便宜上、以下では連結配線１１６の一側が延びてパッド電極ＰＥを形成するものと仮定し説明する。
【００１９】
但し、本発明において、パッド部１１８の境界領域に位置する連結配線１１６の一領域の上部には、連結配線１１６が延びる方向と交差する方向に形成された少なくとも１つの絶縁膜１３０が形成される。ここで、絶縁膜１３０が形成されるパッド部１１８の境界領域は、パッド部１１８の縁領域のうち、パッド部１１８と画素部１１２との間に位置するパッド部１１８の縁領域を意味する。
このような絶縁膜１３０は、パッド部１１８をＦＰＣＢ（図示せず）などのコネクターと連結させるＡＣＦ１４０により連結配線１１６が損傷するのを防止するために形成される。
【００２０】
これをより詳細に説明すれば、絶縁膜１３０がない場合、ＡＣＦ１４０を圧着して表示パネル１００のパッド部１１８とＦＰＣＢを電気的に連結する過程における破れによりＡＣＦ１４０の一部が流れ出るおそれがある。このように流れ出たＡＣＦ１４０は、パッド部１１８の境界領域に位置する連結配線１１６を損傷させるおそれがある。
【００２１】
もちろん、パッド電極ＰＥを構成する連結配線１１６の一領域は、ＡＣＦ１４０によりＦＰＣＢと電気的に連結されるのが正常である。しかしながら、パッド部１１８の外部に位置する連結配線１１６の他の領域のうち、パッド部１１８の境界領域に位置する領域にもＡＣＦ１４０が侵入すれば、連結配線１１６が損傷し得る。
従って、本発明では連結配線１１６の損傷を防止するために、パッド部１１８の境界領域に位置する連結配線１１６とＡＣＦ１４０との間に絶縁膜１３０を形成する。
このような絶縁膜１３０は、連結配線１１６に水分などの異物が侵入するのを効果的に防止できるように無機絶縁膜で形成されることが好ましい。また、工程の便宜上、絶縁膜１３０は画素部１１２を形成する過程で画素部１１２内に形成される無機絶縁膜のうち、少なくとも１つと同じ材料でこれと同時に形成され得る。例えば、絶縁膜１３０は画素部１１２のゲート絶縁膜及び／又は層間絶縁膜で形成され得る。
【００２２】
但し、絶縁膜１３０は連結配線１１６を効果的に保護するために、パッド部１１８の境界領域に位置するＡＣＦ１４０の終端から画素部１１２方向に少なくとも１５０μｍの幅を有するように形成されることが好ましい。即ち、ＡＣＦ１４０の終端から画素部１１２方向への絶縁膜１３０の幅（以下、Ｗ１という）の下限は１５０μｍに設定され得る。ここで、Ｗ１の上限は表示パネル１００のサイズ及び／又は構成などによって多様に設定されなければならず、Ｗ１の上限がある１つの値に限定されるものではない。
【００２３】
また、絶縁膜１３０はパッド部１１８の境界領域に位置するＡＣＦ１４０の終端から画素部１１２と反対となる方向、即ち、パッド部１１８が形成された表示パネル１００の一側の縁方向に少なくとも１５０μｍの幅を有するように形成されることが好ましい。即ち、ＡＣＦ１４０の終端から画素部１１２と反対となる方向への絶縁膜１３０の幅（以下、Ｗ２という）の下限は１５０μｍに設定され得る。ここで、Ｗ２の上限も、表示パネル１００のサイズ及び／又は構成などによって多様に設定されなければならない。但し、Ｗ２の上限はＡＣＦ１４０により電気的に連結されるパッド電極ＰＥとＦＰＣＢとの間のコンタクト抵抗が電源及び／又は駆動信号の供給を阻害しない範囲内で設定されなければならない。
【００２４】
即ち、絶縁膜１３０はパッド部１１８の境界領域に位置するＡＣＦ１４０の終端を基準に少なくとも±１５０μｍの領域に形成される。また、絶縁膜１３０は表示パネル１００のサイズ及び／又は構成などによってそれ以上の領域に形成されることもできる。このとき、絶縁膜１３０の幅はＷ１とＷ２を合わせた値であるので、絶縁膜１３０の最小幅は３００μｍに設定される。
ＡＣＦ１４０は、パッド部１１８の全面を覆うように形成され、本発明ではその終端が絶縁膜１３０上に位置する。即ち、ＡＣＦ１４０はパッド部１１８の境界領域で絶縁膜１３０の一領域と重なるように絶縁膜１３０上に形成される。
【００２５】
このようなＡＣＦ１４０上にはＦＰＣＢ、ＴＡＢ ＩＣなどのパッド部（図示せず)が位置し、圧着工程後にＡＣＦ１４０は表示パネル１００のパッド部１１８とＦＰＣＢ、 ＴＡＢ ＩＣ などのパッド部を導通させる。
以下では図３Ａ〜図３Ｃを参照して、図１及び図２に示した表示パネルにＦＰＣＢを連結する過程を詳細に説明する。
【００２６】
図３Ａ〜図３Ｃを参照すれば、まず、図３Ａに示すように、連結配線１１６上に絶縁膜１３０が形成された表示パネル１００を用意する。そして、図３Ｂに示すように、パッド部１１８の全面を覆うようにＡＣＦ１４０を形成する。このとき、ＡＣＦ１４０は、絶縁膜１３０と一領域が互いに重なるように絶縁膜１３０上に形成される。
【００２７】
その後、図３Ｃに示すように、ＡＣＦ１４０上にＦＰＣＢ２００のパッド部２１０を整列し、ＡＣＦ１４０の上部で圧力を加えて圧着工程を行う。これにより、ＦＰＣＢ２００がＡＣＦ１４０を介して表示パネル１００と電気的に連結される。
ＦＰＣＢ２００は、外部の駆動ボード（図示せず)と連結されて駆動ボードから伝達される電源及び／又は駆動信号を表示パネル１００に供給する。或いは、ＦＰＣＢ２００は走査駆動部及び／又はデータ駆動部などの駆動ＩＣを実装して外部から供給される電源及び／又は制御信号に対応して駆動信号を生成し、これを表示パネル１００に伝達する。
【００２８】
図１〜図３Ｃを参照して前述した本発明の実施形態によれば、パッド部１１８の境界領域に位置する連結配線１１６の一領域上に絶縁膜１３０を形成することによって、ＡＣＦ１４０を用いた圧着工程時にＡＣＦ１４０により連結配線１１６が損傷するのを防止できる。また、モジュール作業中に侵入し得る水分などから連結配線１１６を保護することもできる。
【００２９】
これにより、連結配線１１６の損傷が防止されてショート欠陥及び／又は断線欠陥が生じるのを防止し、有機電界発光表示装置の信頼性を向上させることができる。
一方、図１〜図３Ｃではパッド部１１８の境界領域に位置する連結配線１１６の一領域の上部にのみ絶縁膜１３０を形成したが、本発明はこれに限定されるものではない。例えば、パッド部１１８を除いた残りの領域に形成された連結配線１１６の一領域上には別途の絶縁性保護膜が更に形成されることもできる。
【００３０】
また、前述した実施形態では走査駆動部及び／又はデータ駆動部が表示パネル１００の外部のＦＰＣＢ２００などに実装されるのを例に上げて説明したが、本発明はこれに限定されるものではない。
例えば、走査駆動部及び／又はデータ駆動部は、画素回路と同時に表示パネル１００上に形成されるか、或いはＩＣチップの形態で表示パネル１００上に実装されることもできる。
【００３１】
この場合、連結配線１１６は走査駆動部及び／又はデータ駆動部とパッド部１１８を連結する配線を含んで構成されることができるのはもちろんである。
以上説明したように、本発明の最も好ましい実施の形態などについて説明したが、本発明は、上記記載に限定されるものではなく、特許請求の範囲に記載され、又は明細書に開示された発明の要旨に基づき、当業者において様々な変形や変更が可能であることはもちろんであり、斯かる変形や変更が、本発明の範囲に含まれることは言うまでもない。
【図面の簡単な説明】
【００３２】
【図１】本発明の実施形態に係る有機電界発光表示装置の表示パネルを示す斜視図である。
【図２】図１に示した表示パネルのＩ−Ｉ’線に沿った断面図である。
【図３Ａ】図１に示した表示パネルにＦＰＣＢを連結する過程を示す斜視図である。
【図３Ｂ】図１に示した表示パネルにＦＰＣＢを連結する過程を示す斜視図である。
【図３Ｃ】図１に示した表示パネルにＦＰＣＢを連結する過程を示す斜視図である。
【符号の説明】
【００３３】
１００  表示パネル
１１０  基板
１１２  画素部
１１４   封止部材
１１６   連結配線
１１８  パッド部
ＰＥ  パッド電極
１２０  エンキャップ部材
１３０  絶縁膜
１４０  ＡＣＦ
２００  ＦＰＣＢ
【図１】
2009200025.tif 000003
【図２】
2009200025.tif 000004
【図３Ａ】
2009200025.tif 000005
【図３Ｂ】
2009200025.tif 000006
【図３Ｃ】
2009200025.tif 000007